(57)【要約】【課題】  平行に対向配置される一対の平板の間に側板を組み合わせて構成される筒状部備えた容器、及び、その容器を複数接続してなる容器ユニットにおいて、新たな形状のものであっても容易にかつ安価に作成可能にすること。【解決手段】  直方体状の容器１の前後端面を構成する平板２，３は、両者の対向面に、突出部２ｂ，３ｂが突出形成され、その先端外周に突条２ｃ，３ｃが突出している。合成樹脂板を加熱折り曲げすることにより断面コの字形に構成された上側板４，下側板５は、前後端縁に、突条２ｃ，３ｃに嵌合する溝部４ａ，５ａが形成され、周方向端縁に沿って第２溝４ｂ，第１溝５ｂが形成されている。溝部４ａ，５ａを突条２ｃ，３ｃに係合させ、上側板４の第２溝４ｂより端縁側の部分を第１溝５ｂに、下側板５の第１溝５ｂより端縁側の部分を第２溝４ｂに、それぞれ係合させることにより、強固な容器１が得られる。【選択図】  図２
2005150170.tif 000002
【特許請求の範囲】
【請求項１】
平行に対向配置される一対の平板と、
該一対の平板の間で少なくとも２つの側板を組み合わせて構成される筒状部と、
を備えた容器であって、
上記各側板が、
上記筒状部の開口部を構成する一対の端縁部に沿って、内壁に連続的または断続的に形成された溝部と、
上記各側板の他の両端縁部に沿って形成され、上記筒状部として組み合わされた状態で上記各側板同士を係合させる係合部と、
を備え、
上記各平板が、
それぞれの該平板に隣接配置される上記各側板の上記各溝部に嵌合する嵌合部を、
備え、
上記各嵌合部と上記各溝部との嵌合により、上記各平板が上記筒状部の軸方向に固定されることを特徴とする容器。
【請求項２】
請求項１記載の容器から少なくとも一方の平板を省略してなる外設容器を、外設可能に構成された容器であって、
上記各側板及び上記各平板の内、少なくともいずれか１つの上記側板または上記平板外壁に、上記外設容器を構成する側板の溝部に嵌合する一組の外壁嵌合部を、備えたことを特徴とする請求項１記載の容器。
【請求項３】
請求項１記載の容器から少なくとも一方の平板を省略してなる内設容器を、内設可能に構成された容器であって、
上記各側板及び上記各平板の内、少なくともいずれか１つの上記側板または上記平板内壁に、上記内設容器を構成する側板の溝部に嵌合する一組の内壁嵌合部を、備えたことを特徴とする請求項１または２記載の容器。
【請求項４】
上記一組の外壁嵌合部及び／または内壁嵌合部と嵌合する溝部を一方の開口部に備えた第２の筒状部と、
該第２の筒状部の他方の開口部に設けられた溝部に嵌合する嵌合部を備えた第２の平板と、
を備えたことを特徴とする請求項２または３記載の容器。
【請求項５】
上記筒状部を構成する少なくとも１つの上記側板の断面が、コの字形、一文字形、略ワの字形、半円形、かまぼこ形、アーチ型、鍋型、のいずれかであることを特徴とする請求項１〜４のいずれかに記載の容器。
【請求項６】
上記係合部が、
一方の上記側板に、周方向の両端縁に沿って外側から形成された一対の第１溝と、
他方の上記側板に、周方向の両端縁に沿って内側から形成された一対の第２溝と、
を備え、
上記一方の側板の上記第１溝より端縁側の部分が上記第２溝に係合し、
上記他方の側板の上記第２溝より端縁側の部分が上記第１溝に係合し、
更に、その係合部の外周側に露出する部分にはＣ面加工が施されたことを特徴とする請求項１〜５のいずれかに記載の容器。
【請求項７】
上記側板が、合成樹脂板に溝を切削加工してからその溝を谷側にして加熱折り曲げすることによって形成されたことを特徴とする請求項１〜６のいずれかに記載の容器。
【請求項８】
内面に、導電性塗料の塗布または金属メッキが施されたことを特徴とする請求項１〜７のいずれかに記載の容器。
【請求項９】
請求項１〜８のいずれかに記載の容器を複数個接続してなる容器ユニットであって、
少なくとも１枚の上記平板が、上記嵌合部を複数組備え、
該各嵌合部には、異なる上記容器を構成する複数組の側板の上記溝部が、それぞれ嵌合し、上記平板が上記異なる複数の容器に共有されることを特徴とする容器ユニット。
【請求項１０】
少なくとも１枚の上記平板が、両面に上記嵌合部を有し、
その平板を挟んで隣接配置される２つの上記容器に上記平板が共有されることを特徴とする請求項９記載の容器ユニット。
【請求項１１】
上記平板の両面に形成される嵌合部の外寸が異なり、上記隣接配置される２つの上記容器の大きさが異なることを特徴とする請求項１０記載の容器ユニット。
【請求項１２】
上記両面の嵌合部の内側で上記平板が開口することにより、上記２つの容器が連通したことを特徴とする請求項１０または１１記載の容器ユニット。
【請求項１３】
請求項１〜８のいずれかに記載の容器を複数接続してなる容器ユニットであって、
少なくとも１枚の上記側板が、外壁または内壁に平坦部を有し、
該平坦部の表面に上記外壁嵌合部または上記内壁嵌合部が形成されることによって、その側板が他の上記容器の上記平板としても機能することを特徴とする容器ユニット。
【発明の詳細な説明】
【技術分野】
【０００１】
本発明は、平行に対向配置される一対の平板の間に側板を組み合わせて構成される筒状部を備えた容器、及び、複数個の容器を接続してなる容器ユニットに関する。
【背景技術】
【０００２】
従来より、ＣＲＴ，コンピュータ等の各種機器では、電子回路等を容器に収納することがなされている。また、この種の容器の製造方法としては、プラスチック形成技術を用いて、その機器に適した三次元形状に射出成形することが提案されている（例えば、特許文献１参照。）。
【特許文献１】特表平１１−５０２６７２号公報
【発明の開示】
【発明が解決しようとする課題】
【０００３】
ところが、射出成形で使用する金型には、その製造に多大な時間と製造コストとが必要となる。このため、新たな形状の容器を作成する場合には、多大な準備期間と投資とが必要であった。特に、モデルチェンジ等に伴って新たな形状の容器を試作する場合、少数の試作品を作成するために多大な準備期間と投資とが必要となり、投資効率が悪かった。
【０００４】
また、複数個の容器を接続してなる容器ユニットを製造する場合も、複数の容器に区割りされるように射出成形時に仕切り壁等を成形しておき、組み立てたときに容器が複数接続された容器ユニットとなるようにしている。従って、この場合も、少数の試作品を作成するために多大な準備期間と投資とが必要となり、投資効率が悪かった。
【０００５】
そこで、本発明は、平行に対向配置される一対の平板の間に側板を組み合わせて構成される筒状部備えた容器、及び、複数個の容器を接続してなる容器ユニットにおいて、新たな形状のものであっても容易にかつ安価に作成可能にすることを目的としてなされた。
【課題を解決するための手段】
【０００６】
上記目的を達するためになされた請求項１記載の発明は、平行に対向配置される一対の平板と、該一対の平板の間で少なくとも２つの側板を組み合わせて構成される筒状部と、を備えた容器であって、上記各側板が、上記筒状部の開口部を構成する一対の端縁部に沿って、内壁に連続的または断続的に形成された溝部と、上記各側板の他の両端縁部に沿って形成され、上記筒状部として組み合わされた状態で上記各側板同士を係合させる係合部と、を備え、上記各平板が、それぞれの該平板に隣接配置される上記各側板の上記各溝部に嵌合する嵌合部を、備え、上記各嵌合部と上記各溝部との嵌合により、上記各平板が上記筒状部の軸方向に固定されることを特徴としている。
【０００７】
このように構成された本発明では、側板を組み合わせると筒状部が構成され、その開口部を構成する一対の端縁に沿って、側板の内壁に溝部が連続的または断続的に形成されている。平行に対向配置される一対の平板にそれぞれ設けられた嵌合部に各側板の溝部を嵌合させると、平板が筒状部の軸方向に固定され、更に各側板の係合部を係合させることにより、各側板を筒状部として組み合わされた状態に維持することができる。このように、本発明の容器は、複数の側板と一対の平板とによって構成されるので、平板は扁平な合成樹脂板等から容易に構成でき、側板は扁平な合成樹脂板等を折り曲げたり湾曲させたりすることにより容易に構成することができる。しかも、上記嵌合部，溝部，係合部も、上記合成樹脂板等に対する切削加工等によって容易に形成することができる。また、本発明の容器は、連続的または断続的に形成された上記溝部に嵌合部を嵌合させると共に上記係合部を係合させることによって組み立てられるので、上記嵌合により強固な容器が得られる。
【０００８】
請求項２記載の発明は、請求項１記載の構成に加え、請求項１記載の容器から少なくとも一方の平板を省略してなる外設容器を、外設可能に構成された容器であって、上記各側板及び上記各平板の内、少なくともいずれか１つの上記側板または上記平板外壁に、上記外設容器を構成する側板の溝部に嵌合する一組の外壁嵌合部を、備えたことを特徴としている。
【０００９】
本発明では、各側板及び各平板の内、少なくともいずれか１つの側板または平板外壁に設けられた外壁嵌合部に、上記外設容器を構成する側板の溝部が嵌合し、これによって、その容器を本発明の容器に外設させることができる。このため、本発明の容器には、上記外設容器を容易に外設することができる。
【００１０】
請求項３記載の発明は、請求項１記載の容器から少なくとも一方の平板を省略してなる内設容器を、内設可能に構成された容器であって、上記各側板及び上記各平板の内、少なくともいずれか１つの上記側板または上記平板内壁に、上記内設容器を構成する側板の溝部に嵌合する一組の内壁嵌合部を、備えたことを特徴としている。
【００１１】
本発明では、各側板及び各平板の内、少なくともいずれか１つの側板または平板内壁に設けられた内壁嵌合部に、上記内設容器を構成する側板の溝部が嵌合し、これによって、その容器を本発明の容器に内設させることができる。このため、本発明の容器には、上記内設容器を容易に内設することができる。
【００１２】
請求項４記載の発明は、請求項２または３記載の構成に加え、上記一組の外壁嵌合部及び／または内壁嵌合部と嵌合する溝部を一方の開口部に備えた第２の筒状部と、該第２の筒状部の他方の開口部に設けられた溝部に嵌合する嵌合部を備えた第２の平板と、を備えたことを特徴としている。
【００１３】
本発明では、第２の筒状部の一方の開口部に設けられた溝部に上記一組の外壁嵌合部及び／または内壁嵌合部が嵌合し、第２の筒状部の他方の開口部に設けられた溝部に第２の平板の嵌合部が嵌合することにより、もう１つの容器が形成される。そして、これによって、上記外壁または内壁に上記外設容器または内設容器が外設または内接し、その容器と本発明の容器とが、上記外壁嵌合部及び／または内壁嵌合部を設けられた側板または平板を共有する。
【００１４】
請求項５記載の発明は、請求項１〜４のいずれかに記載の構成に加え、上記筒状部を構成する少なくとも１つの上記側板の断面が、コの字形、一文字形、略ワの字形、半円形、かまぼこ形、アーチ型、鍋型、のいずれかであることを特徴としている。
【００１５】
側板の断面がこのような形状である場合、これらを種々に組み合わせることで様々な断面形状を有する筒状部を構成することができる。例えば、断面コの字形の側板を向かい合わせて組み合わせることによって矩形断面を有する筒状部を構成したり、コの字形の側板の間に更に一文字形の側板を介在させることで、それよりも長尺の矩形断面を有する筒状部を構成したりすることができる。
【００１６】
請求項６記載の発明は、請求項１〜５のいずれかに記載の構成に加えて、上記係合部が、一方の上記側板に、周方向の両端縁に沿って外側から形成された一対の第１溝と、他方の上記側板に、周方向の両端縁に沿って内側から形成された一対の第２溝と、を備え、上記一方の側板の上記第１溝より端縁側の部分が上記第２溝に係合し、上記他方の側板の上記第２溝より端縁側の部分が上記第１溝に係合し、更に、その係合部の外周側に露出する部分にはＣ面加工が施されたことを特徴としている。
【００１７】
本発明では、一方の側板に周方向の両端縁に沿って外側から形成された一対の第１溝と、他方の側板に周方向の両端縁に沿って内側から形成された一対の第２溝とにより、係合部を構成している。そして、上記一方の側板の第１溝より端縁側の部分が上記第２溝に係合し、上記他方の側板の第２溝より端縁側の部分が上記第１溝に係合することによって、一対の側板が筒状に維持される。このため、本発明では、係合部の構成が簡単で、しかも強固な係合が得られる。更に、その係合部の外周側に露出する部分にはＣ面加工が施されている。このため、本発明の容器は、一層分解し難い強固な容器となる。
【００１８】
請求項７記載の発明は、請求項１〜６のいずれかに記載の構成に加え、上記側板が、合成樹脂板に溝を切削加工してからその溝を谷側にして加熱折り曲げすることによって形成されたことを特徴としている。
【００１９】
本発明では、合成樹脂板に溝を切削加工してからその溝を谷側にして加熱折り曲げすることによって側板を形成している。このため、切削加工を施された扁平な合成樹脂板を加熱折り曲げするだけで、側板が得られる。
【００２０】
請求項８記載の発明は、請求項１〜７のいずれかに記載の構成に加え、内面に、導電性塗料の塗布または金属メッキが施されたことを特徴としている。
本発明では、内面に導電性塗料の塗布または金属メッキが施されているので、その容器内に電子回路等を収納した場合に、その電子回路等に対する電磁波シールドを行うことができる。
【００２１】
請求項９記載の発明は、請求項１〜８のいずれかに記載の容器を複数個接続してなる容器ユニットであって、少なくとも１枚の上記平板が、上記嵌合部を複数組備え、該各嵌合部には、異なる上記容器を構成する複数組の側板の上記溝部が、それぞれ嵌合し、上記平板が上記異なる複数の容器に共有されることを特徴としている。
【００２２】
本発明では、少なくとも１枚の平板（以下、連結平板ともいう）が嵌合部を複数組備え、各嵌合部には異なる上記容器を構成する複数組の側板の溝部がそれぞれ嵌合し、上記連結平板が上記異なる複数の容器に共有される。このため、本発明では、請求項１〜８のいずれかに記載の容器を複数接続してなる容器ユニットを、請求項１に関連して説明したように容易に作成することができる。
【００２３】
請求項１０記載の発明は、請求項９記載の構成に加え、少なくとも１枚の上記平板が、両面に上記嵌合部を有し、その平板を挟んで隣接配置される２つの上記容器に上記平板が共有されることを特徴としている。
【００２４】
本発明では、上記連結平板が両面に嵌合部を有し、その連結平板を挟んで隣接配置される２つの上記容器に、連結平板が共有される。すなわち、連結平板の片面に対向配置された平板には、上記片面に形成されたものと同様の嵌合部が形成され、連結平板の他面に対向配置された平板には、上記他面に形成されたものと同様の嵌合部が形成され、各嵌合部に側板の溝部が嵌合してその側板が個々に筒状部を構成することで２つの容器が隣接配置される。このため、本発明では、請求項１〜８のいずれかに記載の容器を隣接配置してなる容器ユニットを、請求項１に関連して説明したように容易に作成することができる。
【００２５】
請求項１１記載の発明は、請求項１０記載の構成に加え、上記平板の両面に形成される嵌合部の外寸が異なり、上記隣接配置される２つの上記容器の大きさが異なることを特徴としている。
【００２６】
請求項１０記載の発明では、連結平板の両面に形成される嵌合部の外寸を異ならせることにより、連結平板を挟んで隣接配置される容器の大きさを互いに異ならせることができる。そこで本発明では、そのようにして隣接配置される容器の大きさを異ならせている。
【００２７】
請求項１２記載の発明は、請求項１０または１１記載の構成に加え、上記両面の嵌合部の内側で上記平板が開口することにより、上記２つの容器が連通したことを特徴としている。
【００２８】
本発明では、連結平板の両面に形成された嵌合部の内側で連結平板が開口しているので、連結平板を挟んで隣接配置される上記２つの容器がその開口部を介して連通する。このため、実質的には、上記２つの容器を合わせた容積の容器を得ることができる。
【００２９】
請求項１３記載の発明は、請求項１〜８のいずれかに記載の容器を複数接続してなる容器ユニットであって、少なくとも１枚の上記側板が、外壁または内壁に平坦部を有し、該平坦部の表面に上記外壁嵌合部または上記内壁嵌合部が形成されることによって、その側板が他の上記容器の上記平板としても機能することを特徴としている。
【００３０】
本発明では、少なくとも１枚の側板が外壁または内壁に平坦部を有し、その平坦部の表面に上記外壁嵌合部または上記内壁嵌合部が形成されることによって、その側板が他の上記容器の上記平板としても機能する。すなわち、上記平坦部に対向配置された平板には、上記平坦部に形成された外壁嵌合部または内壁嵌合部と同様の嵌合部が形成され、両者の嵌合部に側板の溝部が嵌合してその側板が個々に筒状部を構成することによって、上記平坦部がもう一つの容器に連接している。このため、本発明では、請求項１〜８のいずれかに記載の容器を複数接続してなる容器ユニットを、請求項１に関連して説明したように容易に作成することができる。
【発明の効果】
【００３１】
このように、請求項１記載の発明の容器は、扁平な合成樹脂板等に対して切削加工や折り曲げ，湾曲等を施すだけで容易に作成することができ、しかも、接着剤等を使用しなくても強固な容器とすることができる。従って、新たな形状のものであっても金型等を必要とせず容易にかつ安価に作成することができる。
【００３２】
請求項２記載の発明では、請求項１記載の発明の効果に加えて、外設容器を容易に外設することができ、容器の設計の自由度を一層向上させることができるといった効果が生じる。
【００３３】
請求項３記載の発明では、請求項１または２記載の発明の効果に加えて、内設容器を容易に内設することができ、容器の設計の自由度を一層向上させることができるといった効果が生じる。
【００３４】
請求項４記載の発明では、第２の平板と第２の筒状部とによって上記内設容器または外設容器を形成することができ、その容器と本発明の容器とで、上記外壁嵌合部及び／または内壁嵌合部を設けられた側板または平板を共有することができる。従って、請求項２または３記載の発明の効果に加えて、容器の設計の自由度を一層容易に向上させることができるといった効果が生じる。
【００３５】
請求項５記載の発明では、筒状部を構成する少なくとも１つの上記側板の断面が、コの字形、一文字形、略ワの字形、半円形、かまぼこ形、アーチ型、鍋型、のいずれかであるので、これらを種々に組み合わせることで様々な断面形状を有する筒状部を構成することができる。従って、本発明では、請求項１〜４のいずれかに記載の発明の効果に加えて、容器の設計の自由度を一層容易に向上させることができるといった効果が生じる。
【００３６】
請求項６記載の発明は、請求項１〜５のいずれかに記載の発明の効果に加えて、係合部の構成を一層簡略化すると共に、一層分解し難い強固な容器とすることができるといった効果が生じる。従って、作成を一層容易にすると共に、パチンコのＲＯＭや家電品の回路のデリケートな部分など、サービスマン以外は触れないことが望ましい回路の容器としても一層良好に使用することができる。
【００３７】
請求項７記載の発明では、切削加工を施された扁平な合成樹脂板を加熱折り曲げするだけで、側板を得ることができるので、請求項１〜６のいずれかに記載の発明の効果に加えて、一層容易にかつ安価に作成することができるといった効果が生じる。
【００３８】
請求項８記載の発明では、請求項１〜７のいずれかに記載の発明の効果に加えて、その容器内に電子回路等を収納した場合に、その電子回路等に対する電磁波シールドを行うことができるといった効果が生じる。
【００３９】
請求項９記載の発明では、少なくとも１枚の平板（連結平板）に複数組の嵌合部を切削加工等によって形成することにより、請求項１〜８のいずれかに記載の容器を複数接続してなる容器ユニットを、新たな形状のものであっても容易にかつ安価に作成することができるといった効果が生じる。
【００４０】
請求項１０記載の発明では、上記嵌合部を上記連結平板の両面に削加工等によって形成することにより、請求項１〜８のいずれかに記載の容器を隣接配置してなる容器ユニットを、新たな形状のものであっても容易にかつ安価に作成することができるといった効果が生じる。
【００４１】
請求項１１記載の発明では、隣接配置される容器の大きさを互いに異ならせているので、請求項１０記載の発明の効果に加えて、一層多彩な用途に使用することができるといった効果が生じる。
【００４２】
請求項１２記載の発明では、連結平板の開口部を介して２つの容器を連通させ、実質的に２つの容器を合わせた容積の容器を得ることができる。従って、請求項１０または１１記載の発明の効果に加えて、容器ユニット内部の空間形状の自由度を一層向上させることができるといった効果が生じる。なお、連結平板の開口部内壁と連結平板の両面に接続される各側板の内壁とが面一となる場合、上記２つの容器が一層良好に一体化する。
【００４３】
請求項１３記載の発明では、少なくとも１枚の側板の外壁または内壁に嵌合部を切削加工等によって形成することにより、請求項１〜８のいずれかに記載の容器を複数接続してなる容器ユニットを、新たな形状のものであっても容易にかつ安価に作成することができるといった効果が生じる。
【発明を実施するための最良の形態】
【００４４】
次に、本発明の実施の形態を図面と共に説明する。図１は、本発明が適用された第１の形態としての容器１の構成を表す斜視図であり、図２（Ａ）はその縦断面図を、図２（Ｂ）はそのＡ−Ａ線断面図を、図３（Ａ）は容器１を分解した縦断面図を、図３（Ｂ）は同じく分解した上記Ａ−Ａ線断面図を、それぞれ表している。なお、図２，図３は、説明の便宜上、各部の肉厚を実際よりも厚く強調して描いている。また、図２（Ａ），図３（Ａ）は後述の窓２ａ（図１参照）を、図３（Ｂ）は平板３を、それぞれ省略して描いている。
【００４５】
図１に示すように、この容器１は、各種機器のコントロールボックスを構成する中空直方体状に構成され、前後端面を構成する略長方形の平板２，３と、その平板２，３の外周に沿って両者の間に配設される側板としての上側板４及び下側板５を備えている。平板２には、ディスプレイやボタンを露出させるための窓２ａが穿設されているが、平板３にはこのような窓は穿設されていない。
【００４６】
図２（Ａ），図３（Ａ）に示すように、平板２，３は、ＡＢＳ，ＰＣ，アクリル，ＰＳ，塩化ビニール等の合成樹脂板から構成され、両者の対向面には、その対向面よりも上側板４及び下側板５の厚さ分だけ小さい長方形領域に、突出部２ｂ，３ｂが突出形成されている。また、その突出部２ｂ，３ｂの先端外周には、全周に沿って嵌合部としての突条２ｃ，３ｃが連続的に外周方向に突出している。突条２ｃ，３ｃの前後方向（図２（Ａ），図３（Ａ）の左右方向）の幅は、突出部２ｂ，３ｂの突出量の約半分である。
【００４７】
上側板４，下側板５は、平板２，３と同様の合成樹脂板を加熱折り曲げすることにより、突出部２ｂ，３ｂに外接する断面コの字形（図２（Ｂ），図３（Ｂ）参照）に構成され、その前後端縁に沿って、突条２ｃ，３ｃに連続的に嵌合する断面コの字形の溝部４ａ，５ａが内壁に形成されている。この溝部４ａ，５ａを突条２ｃ，３ｃに嵌合させることにより、上側板４，下側板５は、外壁が平板２，３の外周面と一致して面一に連接するように、平板２，３の間に固定される。また、このとき、上側板４，下側板５の溝部４ａ，５ａよりも先端側の部分は、突出部２ｂ，３ｂ周囲の突条２ｃ，３ｃが形成されていない部分に嵌合する。
【００４８】
なお、溝部４ａ，５ａと突条２ｃ，３ｃとの嵌合状態については、図４，５も参照されたい。図４は、平板２，３の間に下側板５のみを取り付けた状態を表す斜視図であり、図５は図４のＢ部拡大図である。溝部５ａは突条３ｃに、図５に示すように嵌合しており、溝部５ａと突条２ｃとの嵌合や溝部４ａと突条２ｃ，３ｃとの嵌合も同様である。また、上側板４，下側板５の溝部４ａ，５ａよりも先端側の部分は上側板４，下側板５の他の部分（溝部４ａ，５ａを除く）よりも薄肉に構成してもよく、この場合、突出部２ｂ，３ｂの外周を更に大きくしても上側板４，下側板５の外周が平板２，３の外周面と一致し、面一に連接する。
【００４９】
更に、上記のように溝部４ａ，５ａを突条２ｃ，３ｃに嵌合させるとき、上側板４，下側板５の周方向端縁は、図２（Ｂ）に示すように互いに係合する。すなわち、図３（Ｂ）に示すように、下側板５には、その周方向両端縁に沿って、断面コの字形の第１溝５ｂが外側から形成され、上側板４には、その周方向両端縁に沿って、断面コの字形の第２溝４ｂが内側から形成されている。上側板４の第２溝４ｂより端縁側の部分を第１溝５ｂに、下側板５の第１溝５ｂより端縁側の部分を第２溝４ｂに、それぞれ係合させることにより、上側板４と下側板５は断面ロの字形の筒状部を構成する。
【００５０】
また、この係合部の外周側に露出する部分や、容器１外周の各稜線には、Ｃ面加工が施されている。更に、上側板４の折り曲げ部４ｃは、扁平な合成樹脂板であった上側板４に断面Ｖ字形のＶ溝を切削加工して、その部分を加熱してＶ溝を谷側にして折り曲げたもので、この折り曲げによって上側板４が上記のように断面コの字形に構成されている。下側板５も同様で、断面Ｖ字形のＶ溝を切削加工してそのＶ溝を谷側にして加熱折り曲げした折り曲げ部５ｃによって、下側板５が上記のように断面コの字形に構成されている。
【００５１】
このように構成された本形態では、扁平な合成樹脂板を所定形状に切断して平板２，３及び上側板４，下側板５の外形を切り出し、切削加工によって突出部２ｂ，３ｂ、突条２ｃ，３ｃ、溝部４ａ，５ａ、第１溝５ｂ、第２溝４ｂ、及び上記Ｖ溝を形成し、更に前述の加熱折り曲げを行った上で組み立てるだけで三次元形状の容器１を容易に作成することができる。しかも、容器１では、突条２ｃ，３ｃと溝部４ａ，５ａとの連続的な嵌合、並びに、第１溝５ｂ，第２溝４ｂと上側板４，下側板５の端縁との係合によって、接着剤等を使用しなくても強固な容器１が得られる。従って、新たな形状の容器１であっても、金型等を必要とせず容易にかつ安価に作成することができる。
【００５２】
また、上側板４，下側板５は外壁が平板２，３の外周面と面一に連接し、上側板４と下側板５との係合部にも外周側からＣ面加工が施されているので、容器１は一層分解し難いものとなる。このため、容器１は、パチンコのＲＯＭや家電品の回路のデリケートな部分など、サービスマン以外は触れないことが望ましい回路の容器としても良好に使用することができる。更に、容器１の内面に導電性塗料を塗布したり金属メッキを施したりすれば、その容器１に電子回路等を収納した場合に、その電子回路等に対する電磁波シールドを行うことができる。
【００５３】
上記形態は単一の直方体状の容器１であるが、少なくとも１枚の平板（例えば平板３）の両面に突出部３ｂ及び突条３ｃを形成すれば、複数の容器を連接した容器ユニットとすることができる。図６は、第２の形態としての容器ユニット２１の構成を表す縦断面図である。なお、以下の説明では、このように１枚に複数組の突出部３ｂ及び突条３ｃを形成した平板３を、連結平板３と呼んで他の平板と区別する。
【００５４】
図６に示すように、連結平板３の両面には、第１の形態と同様の平板２と、その平板２と同様に突出部７ｂ，突条７ｃを形成された平板７とが平行に対向配置される。平板２と連結平板３との間には、第１の形態と同様の上側板４，下側板５が配設され、容器１と同様に固定されている。連結平板３と平板７との間にも、上側板４，下側板５と同様の上側板８，下側板９が配設され、突条３ｃ，７ｃに溝部８ａ，９ａを嵌合させるなどして容器１と同様に固定されている。図６では図示省略したが、下側板５，９には第１の形態と同様の第１溝が、上側板４，８には第１の形態と同様の第２溝が、それぞれ形成され、上記のように、上側板４と下側板５と、または、上側板８と下側板９とを係合固定している。
【００５５】
このように構成された容器ユニット２１は、第１の形態の容器１が２つ隣接配置された構成となる。本形態でも、第１の形態と同様に、強固な容器ユニット２１を容易にかつ安価に作成することができる。また、容器ユニット２１の各容器（収納空間）に対して個々に電磁波シールドを行った場合、電子回路を区画毎に個々に電磁波シールドしたり、デジタル回路とアナログ回路とを個々に電磁波シールドして干渉を防止したりすることが可能となる。なお、本形態では、平板７側の突条３ｃが外壁嵌合部に相当する。
【００５６】
また、上記各形態では、突出部２ｂ，３ｂ，７ｂをいずれも長方形領域全面に渡って突出させているが、これらの強度が確保できる場合、上側板４，下側板５（または上側板８，下側板９）の内面に沿って環状に突出させてもよい。図７（Ａ），（Ｂ）は、第１の形態の容器１において、突出部２ｂ，３ｂを環状に突出させた例である。また、図８は、第２の形態の連結平板３において、一方の側の突出部３ｂを環状に突出させた例である。
【００５７】
図７（Ａ），（Ｂ）の例では、上側板４，下側板５の溝部４ａ，５ａよりも先端側の部分を他の部分よりも薄肉に構成し、突出部２ｂ，３ｂの内壁と上側板４，下側板５の内壁とを面一に連接している。更に、図９に示すように、平板２，３は単なる矩形の平板とし、その外周部を突条２ｃ，３ｃの代わりに溝部４ａ，５ａに嵌合させてもよい。この場合、一層構成が簡略化する反面、容器１の強固さは若干低下する。
【００５８】
また更に、前述の連結平板３の突出部３ｂを両側で環状に突出させ、その突出部３ｂの内側に開口部３ｄを設ければ、図１０に示す第３の形態の容器ユニット３１のように、上記２つの容器を連通させて大きな収納空間を得ることができる。また、容器ユニット３１では、上側板４，８及び下側板５，９の、連結平板３側の溝部４ａ，８ａ，５ａ，９ａよりも先端側の部分を他の部分よりも薄肉に構成して、環状の突出部３ｂが上側板４，８及び下側板５，９の肉厚の範囲に収まるようにしている。このため、連結平板３の開口部３ｄの内壁と、環状の各突出部３ｂの内壁と、上側板４，８及び下側板５，９の内壁とが面一に連接し、上記２つの容器を一層良好に一体化することができる。また、本形態でも、第１の形態と同様に、強固な容器ユニット３１を容易にかつ安価に作成することができる。更に、２つの容器を連通させる構成としては、第２の形態の容器ユニット２１において連結平板３の一部に開口部を設けるだけでもよいことは言うまでもない。
【００５９】
更に、このように連結平板を挟んで２つの容器を隣接配置する場合、隣接配置される２つの容器の大きさを異ならせることも考えられる。図１１に示す第４の形態の容器ユニット４１では、図６における平板７、上側板８、下側板９、及び、それに隣接する側の突出部３ｂを含む連結平板３を外周方向に拡大して構成したものである。本形態でも、第１の形態と同様に、強固な容器ユニット４１を容易にかつ安価に作成することができる。
【００６０】
また、本形態でも、第２の形態の容器ユニット２１と同様に、各容器に対して電磁波シールドをした場合、電子回路を区画毎に個々に電磁波シールドしたり、デジタル回路とアナログ回路とを個々に電磁波シールドして干渉を防止したりすることができる。本形態の容器ユニット４１は、異なる大きさの容器が隣接されるので、一層多彩な用途に使用可能となる。
【００６１】
更に、本形態では、小さい方の容器に金属製の小さい筒を多数詰め込み、その筒を導波管アレイとして電磁波シールドを行うこともできる。この場合、電子回路等の電磁波シールドが一層良好に行える。また更に、本形態では、小さい方の容器に冷却ファンを収納することも考えられる。この場合、電子回路等の過熱を一層良好に防止することができる。なお、小さい方の容器に冷却ファンを収納する場合は、平板２や連結平板３に通気孔を設けるべきことは言うまでもないが、小さい筒を詰め込む場合でも、その筒の方向を前後方向に揃えると共に平板２及び連結平板３に通気孔を設ければ、大きい方の容器に収納された電子回路等の冷却が容易になる。
【００６２】
このように、連結平板を用いることで、本発明の容器は極めて多彩な用途に使用可能となる。また、連結平板は複数設けてもよく、例えば第１の形態における平板２，３を共に連結平板として、図２（Ａ）に示す容器１の両側に他の容器を隣接配置してもよい。この場合、容器が一層多彩な用途に使用可能となる。
【００６３】
更に、第４の形態のように少なくとも一方の突出部の外寸を平板に対して大幅に小さくした場合、平板の少なくとも片面に複数の突出部を設け、その面に複数の容器を連接することができる。図１２（Ａ）に示す第５の形態の平板５３は略長方形であり、その片面には、平板５３の１／４よりも更に少し小さい面積の長方形状の突出部５３ｂが、田の字形に２行２列に並んで形成されている。突出部５３ｂの先端外周には、突出部３ｂ等と同様に、突条５３ｃが連続的に突出している。このため、平板５３の上記片面には、４つの直方体状の容器を連接することができる。
【００６４】
なお、平板５３の他面には、図１２（Ｂ）に示すように突出部及び突条を設けなくてもよく、図１２（Ｃ）に示すように他面にも突出部５３ｂ及び突条５３ｃを設けて連結平板としてもよく、その他面側の突出部５３ｂを図１２（Ｄ）に示すように環状に構成してもよい。また、図１２（Ｃ），（Ｄ）の例では、いずれも他面側の突出部５３ｂの外寸を大きくしているが、上記片面側の４つの突出部５３ｂと同様の突出部を設けてもよい。
【００６５】
但し、平板５３の上記片面に設けた突出部５３ｂのように、隣接する突出部５３ｂ同士の間隔が狭くなると、各突出部５３ｂに対して上側板４，下側板５等と同様の側板を連接するのは困難になる。そこで、例えば次のような工夫が必要となる。
【００６６】
図１３（Ａ），（Ｂ）に示す第５の形態の容器ユニット５１では、図１２（Ｃ）に示した平板５３の上記片面に設けられた隣接する突出部５３ｂの間に、その突出部５３ｂの対向する一辺より少し長い長さを有する断面一文字形の側板５４を挿入している。そして、突出部５３ｂの他の３辺に沿ったコの字形の断面を有する一対の側板５５が、側板５４に両側から係合することで、側板５４，５５，５５は断面８の字形の筒状に組み合わさる。なお、図１３（Ｂ）は側板５５，５５を省略して描いた側面図で、図１３（Ａ）は、図１３（Ｂ）のＣ−Ｃ線断面を側板５５，５５を含めて描いた断面図である。
【００６７】
また、各突出部５３ｂには、図１３（Ｃ），（Ｄ）に示す平板５２が、それぞれ対向配置される。平板５２は、突出部５３ｂ，突条５３ｃと同形状の突出部５２ｂ，突条５２ｃを備え、側板５５の外壁と面一に連接する略長方形の板状に構成されている。
【００６８】
更に、側板５５は、上側板４，下側板５と同様に折り曲げ部５５ｃで加熱折り曲げすることにより前述の断面コの字形に構成され、側板５４，５５には突条５２ｃ，５３ｃに連続的に嵌合する溝部５４ａ，５５ａが形成されている。また、側板５５には、その周方向両端縁に沿って、断面コの字形の第２溝５５ｂが内側から形成され、側板５４の両端には、側板５５の第２溝５５ｂより端縁側の部分と係合する断面コの字形の第１溝５４ｂが外側から形成されている。
【００６９】
このため、本形態の容器ユニット５１は、突条５３ｃに溝部５４ａを嵌合させながら一対の突出部５３ｂの間に側板５４を配設し、側板５４のもう一方の溝部５４ａに突条５２ｃを嵌合させることにより平板５２を平板５３に対向配置し、最後に、溝部５５ａを突条５２ｃ，５３ｃに嵌合させながら側板５５を挿入して第１溝５４ｂと第２溝５５ｂとを係合させることによって組み立てられる。
【００７０】
また更に、上記各形態では、複数の容器を接続する場合、１つの平板を複数の容器で共有することによって接続しているが、一方の容器の側板を他の容器の平板として機能させることによって接続することも可能である。
【００７１】
図１４に示す第６の形態の容器ユニット６１では、第１の形態と同様に構成した上側板４の上面（平坦部に相当）に、図７に示す突出部２ｂ，突条２ｃと同様の突出部４ｄ，突条４ｅ（外壁嵌合部に相当）を形成した。そして、その上側板４の上面に、第１の形態の平板２と同様に突出部６７ｂ，突条６７ｃが形成された平板６７を対向配置し、その間に上側板４，下側板５と同様の側板６８，６９を配設した。すなわち、突条４ｅ，６７ｃに側板６８，６９の溝部６８ａ，６９ａを嵌合させ、更に、側板６８，６９の図示しない第１溝，第２溝を係合させた。
【００７２】
これによって、上側板４にもう１つの容器を連接して容器ユニットとすることができた。なお、突出部４ｄの内側は、図１５に示すようにえぐって平板６７側の容器を拡大してもよく、この部分を開口させて２つの容器を連通してもよい。
【００７３】
更に、１つの容器を構成する側板は、上記各実施の形態のように２枚から構成されるものに限らず、更に多数の側板から構成されてもよい。図１６に示す第７の形態の容器７１では、第１の形態の上側板４と同様に構成した側板７４を上下に対向配置し、その間に、断面一文字形であって両端が下側板５の第１溝５ｂ近傍と同様に構成された一対の側板７５を配置している。この場合、側板７５の両端の第１溝７５ｂと側板７４の第２溝７４ｂとを係合させることにより、側板７４，７５，７４，７５が断面ロの字形の筒状に維持される。すなわち、第１の形態の上側板４に側板７５といったパーツを加えることで、更に大きな容器７１を得ることができる。
【００７４】
また、このような容器７１においても、例えば図１７に示すように、側板７５の外周面に突出部７５ｃを設けてその先端外周に外壁嵌合部としての突条７５ｄを設ければ、その部分に他の容器を接続することができる。図１８に示すように、側板７４，７４に矢印Ｄ視コの字形の突出部７４ｄを対向して設けてその先端外周に外壁嵌合部としての突条７４ｅを設けても、その部分に他の容器を接続することができる。更に、突出部及び突条は他の側板に設けてもよい。
【００７５】
また更に、上記各形態では、１つの容器に他の容器を外設して容器ユニットを構成する場合を説明したが、１つの容器に他の容器を内設してもよい。図１９に示す第８の形態の容器ユニット８１では、図７に示した容器１において、平板３の内壁面に、突出部３ｂと相似でそれよりもひと回り外寸が小さい環状の突出部３ｅを設け、その先端外周に内壁嵌合部としての突条３ｆを突出させている。そして、突出部３ｅ，突条３ｆと同形状の突出部８２ｂ，突条８２ｃを有する平板８２を平板３の内壁面に対向配置し、突条３ｆ，８２ｃに溝部８４ａ，８５ａを嵌合させることによって、両者の間に側板８４，８５を筒状に固定している。このように、本発明では、容器を構成する平板と側板とを種々に組み合わせることにより、バリエーションに富んだ容器ユニットを容易に作成することができる。
【００７６】
以上、本発明を実施するための各種形態について説明したが、本発明は上記形態に何等限定されるものではなく、本発明の要旨を逸脱しない範囲で種々の形態で実施することができる。例えば、上記各形態では、側板を断面ロの字形に組み合わせているが、本発明はこれに限定されるものではない。
【００７７】
すなわち、図２０（Ａ）に示す容器１０１のように、平板１０２，１０３をベース形に形成し、それに応じて上側板１０４，下側板１０５を断面ベース形に組み合わせてもよい。また、図２０（Ｂ）に示す容器１１１のように、平板１１２，１１３をＤ字形に形成し、それに応じて上側板１１４，下側板１１５を蒲鉾形に組み合わせてもよい。
【００７８】
図２１は、側板の各種組み合わせを、概略的に表す説明図である。すなわち、Ａは断面コの字形の側板を２つ組み合わせるパターンで、図１〜１１，１４，１５，１９の例がこのパターンに当てはまる。Ｂに示すパターンでは、上側の側板でコの字の角が湾曲面となっている。Ｃに示すパターンはアーチ形とコの字形との組み合わせで図２０（Ｂ）と同様のパターン、Ｄは図２０（Ａ）と同様のパターンである。なお、Ｂ，Ｃに見られるような湾曲面は、本願出願人の特許第３０８１２０５号に示す方法によれば容易に形成することができる。
【００７９】
Ｅ〜ＨはＡ〜Ｄにおける下側の側板を一文字形に変えたもので、図１３の例はＥのパターンに当てはまる。更に、Ｉは、図１６〜１８の例のように一対のコの字形側板の間に一文字形側板を介在させたパターンで、Ｊ，Ｋは、コの字の一辺が長いいわゆる略ワの字形の断面を有する側板を利用したパターンである。この他にも、円柱状，六角柱状，星型など種々の形状の容器に本発明は適用でき、更に、それらの異なった形状の容器を連結平板等を介して接続することもできる。
【００８０】
このように、本発明を実施するための形態は無限に考えることができるので、以下に、それらの類型を概念的に整理する。図２２，２３では、側板を甲，平板を乙で表し、内壁嵌合部または外壁嵌合部を有する側板または平板は甲´，乙´で表した。また、係合部の係合による結合を実線で、溝部と嵌合部との嵌合による結合を点線で、それぞれ表し、１つの容器を楕円で表した。
【００８１】
図２２（Ａ）は、一対の側板（甲）と一対の平板（乙）とで１つの容器を構成するパターンで、図１〜５，７，９，２０の例がこれに当てはまる。１つの容器を構成する側板（甲）は図２２（Ｂ）に示すように３つ以上であってもよく、この例として図１６〜１８の形態を挙げて説明した。図２２（Ｃ）は、連結平板（乙´）を用いて２つの容器を連結したパターンで、図６，１０，１１の例がこれに当てはまる。また、図２２（Ｄ）に示すように、３つ以上の容器を連結してもよい。更に、図２２（Ｅ）に示すように、連結平板（乙´）の少なくとも片面に２つ以上の容器を連結してもよく、図１３の例がこれに当てはまる。また更に、図２２（Ｆ）に示すように、一方の容器の平板（乙´）の内壁面に容器に他方の容器を内設してもよく、図１９の例がこれに当てはまる。また、図１９では一方の平板３の内壁面にもう１つの容器を内設したが、図２２（Ｇ）示すように一対の平板（乙´）の両方に他の容器をそれぞれ内設してもよい。
【００８２】
外壁嵌合部，内壁嵌合部は側板にも設けることができ、図２３（Ａ）は、図１４，１５の例のように、１つの側板（甲´）にもう１つの容器を外設したパターンである。また、図２３（Ｂ）は、図１７の例のように、側板が３つ以上からなるパターンで、図２３（Ｃ）は、図１８の例のように、１つの容器を外設するための１組の外壁嵌合部を複数の側板（甲´）に亘って設けたパターンである。更に、図２３（Ｄ）に示すように、１つの側板（甲´）に複数組の外壁嵌合部を設けて複数の容器を外設することも可能であるし、図２３（Ｅ）に示すように、側板（甲´）の内壁に内壁嵌合部を設けて他の容器を内設することも可能である。
【００８３】
なお、図面に基づいて具体的に説明した上記各形態では、突出部の先端外周から連続的に突出した突条によって嵌合部を構成しているが、嵌合部及び溝は、所々途切れることによって断続的に構成されてもよい。また、本発明における平板または側板は、切削加工によって作成したものに限らず、押し出し成形や射出成形によって作成してもよい。平板や側板を、使用者が適宜選択して使用することのできるパーツとして販売する場合は、射出成形等によって大量生産するのが望ましい。
【図面の簡単な説明】
【００８４】
【図１】本発明が適用された第１の形態の容器の構成を表す斜視図である。
【図２】その容器の構成を表す断面図である。
【図３】その容器の分解した構成を表す断面図である。
【図４】その容器における溝部と突条との係合状態を表す斜視図である。
【図５】図４のＢ部拡大図である。
【図６】本発明が適用された第２の形態の容器ユニットの構成を表す断面図である。
【図７】上記第１の形態の変形例の構成を表す断面図である。
【図８】上記第２の形態の変形例の構成を表す断面図である。
【図９】上記第１の形態の他の変形例の構成を表す断面図である。
【図１０】本発明が適用された第３の形態の容器ユニットの構成を表す断面図である。
【図１１】本発明が適用された第４の形態の容器ユニットの構成を表す断面図である。
【図１２】本発明が適用された第５の形態の容器ユニットの平板の構成を表す正面図，側面図，及び断面図である。
【図１３】その平板を利用した容器ユニットの構成を表す断面図及び側面図である。
【図１４】本発明が適用された第６の形態の容器ユニットの構成を表す断面図である。
【図１５】その第６の形態の変形例の構成を表す断面図である。
【図１６】本発明が適用された第７の形態の容器の構成を表す断面図である。
【図１７】その第７の形態の変形例の構成を表す断面図である。
【図１８】その第７の形態の他の変形例の構成を表す断面図である。
【図１９】本発明が適用された第８の形態の容器ユニットの構成を表す断面図である。
【図２０】本発明が適用された更に他の形態の容器の構成を表す斜視図である。
【図２１】側板の各種組み合わせを概略的に表す説明図である。
【図２２】平板に内壁嵌合部または外壁嵌合部を設けた類型を表す説明図である。
【図２３】側板に内壁嵌合部または外壁嵌合部を設けた類型を表す説明図である。
【符号の説明】
【００８５】
１，７１，１０１，１１１…容器
２，３，７，５２，５３，６７，８２，８３，９２，９３，１０２，１０３，１１２，１１３…平板
２ｂ，３ｂ，３ｅ，４ｄ，７ｂ，５２ｂ，５３ｂ，６７ｂ，７４ｄ，７５ｃ，８２ｂ…突出部
２ｃ，３ｃ，３ｆ，４ｅ，７ｃ，５２ｃ，５３ｃ，６７ｃ，７４ｅ，７５ｄ，８２ｃ…突条
４，８，１０４，１１４…上側板
４ａ，５ａ，８ａ，９ａ，５４ａ，５５ａ，６８ａ，６９ａ，８４ａ…溝部
４ｂ，５５ｂ，７４ｂ…第２溝
５，９，１０５，１１５…下側板
５ｂ，５４ｂ，７５ｂ…第１溝
２１，３１，４１，５１，６１，８１…容器ユニット
５４，５５，６８，６９，７４，７５，８４…側板
【図１】
2005150170.tif 000003
【図２】
2005150170.tif 000004
【図３】
2005150170.tif 000005
【図４】
2005150170.tif 000006
【図５】
2005150170.tif 000007
【図６】
2005150170.tif 000008
【図７】
2005150170.tif 000009
【図８】
2005150170.tif 000010
【図９】
2005150170.tif 000011
【図１０】
2005150170.tif 000012
【図１１】
2005150170.tif 000013
【図１２】
2005150170.tif 000014
【図１３】
2005150170.tif 000015
【図１４】
2005150170.tif 000016
【図１５】
2005150170.tif 000017
【図１６】
2005150170.tif 000018
【図１７】
2005150170.tif 000019
【図１８】
2005150170.tif 000020
【図１９】
2005150170.tif 000021
【図２０】
2005150170.tif 000022
【図２１】
2005150170.tif 000023
【図２２】
2005150170.tif 000024
【図２３】
2005150170.tif 000025